(57)【要約】【課題】面材の裏面側に空間部である溝がある施工面構造について、見栄えよくし、有効活用を図れるようにすると共に、排水を必要とする箇所に用いたとしても溝を清潔にできる施工面構造。【解決手段】隣接する面材４，４の間の隙間で開口部６を形成し、これら面材４の裏面側に、開口部６を介してこれら面材４の表面側と通じる流体通過溝５（５ａ，５ｂ）を開口部６の長手方向に沿って設けてなる施工面の構造であり、開口部６の短手方向に沿う幅寸法Ａを流体通過溝５（５ａ，５ｂ）の短手方向に沿う幅寸法より小さくしたこと。【効果】短手方向の幅寸法について流体通過溝５（５ａ，５ｂ）より開口部６の方が狭いので、施工面外側から開口部６を介して流体通過溝５（５ａ，５ｂ）が見え難くなる。【選択図】図２
2005336751.tif 000002
【特許請求の範囲】
【請求項１】
隣接する面材の間の隙間で開口部を形成し、これら面材の裏面側に、該開口部を介してこれら面材の表面側と通じる流体通過溝を該開口部の長手方向に沿って設けてなる施工面の構造において、前記開口部の短手方向に沿う幅寸法を前記流体通過溝の短手方向に沿う幅寸法より小さくしたことを特徴とした施工面構造。
【請求項２】
前記流体通過溝へ流体を供給するための流体供給路を設けた請求項１記載の施工面構造。
【請求項３】
前記流体通過溝から流体を排出するための流体排出路を設けた請求項１又は２記載の施工面構造。
【請求項４】
前記流体通過溝が主溝と副溝からなり、主溝は一方の方向へ筋状に延びると共に前記流体供給路及び／又は前記流体排出路に通じ、副溝は他方の方向へ延びて主溝へ通じる請求項２又は３記載の施工面構造。
【発明の詳細な説明】
【技術分野】
【０００１】
本発明は、屋内又は屋外の床面や壁面等をタイル等の面材で形成する施工面構造に関するものである。
【背景技術】
【０００２】
従来、施工面構造の一例である浴室の床面構造には、防水パンからなる下地部に複数枚のタイルからなる床用面材を敷設し、隣接する床用面材間の隙間部より下方の下地部に、隙間部に通じる空間部を設け、この空間部を排水溝として用いることで、床面の水はけをよくしたものがある（特許文献１）。
【特許文献１】特開平９−２２８４３９号公報
【発明の開示】
【発明が解決しようとする課題】
【０００３】
しかし、前記特許文献１に記載されている床面構造は、次のような問題点がある。
（１）タイル間の隙間部の幅寸法と空間部である排水溝の幅寸法とが同一寸法であるため、使用者は隙間部を介して空間部の汚れ等が見えることがあり、見栄えが悪い。
（２）空間部を排水溝としてのみ用いるため、床面排水を必要としない屋内又は屋外の床面構造や壁面構造等の施工面構造に転用できず、面材の裏面側に空間部がある構造の有効利用が図れない。
（３）排水溝として用いる空間部に排水垢やカビ等の汚れが付着するために、健康上の観点から汚れを除去して清潔にする必要がある。しかし、タイル間の隙間部の幅寸法が踏んでも痛くない３〜５ｍｍと狭いため、隙間部を介して空間部の汚れを、タイル表面側から清掃する等の処理が困難である。
【０００４】
そこで、本発明は、従来技術のこのような問題点に鑑み創案したものであって、面材の裏面側に空間部である溝がある施工面構造について、見栄えよくし、有効活用を図れるようにすると共に、排水を必要とする箇所に用いたとしても溝を処理できる施工面構造を提供するものである。
【課題を解決するための手段】
【０００５】
施工面外側から見た施工面の見栄えをよくするために請求項１記載の本発明が採用した手段は、隣接する面材の間の隙間で開口部を形成し、これら面材の裏面側に、該開口部を介してこれら面材の表面側と通じる流体通過溝を該開口部の長手方向に沿って設けてなる施工面の構造において、前記開口部の短手方向に沿う幅寸法を前記流体通過溝の短手方向に沿う幅寸法より小さくしたことを特徴とした施工面構造である。なお、開口部の短手方向に沿う幅寸法Ａについては、０．５ｍｍ＜Ａ＜３．０ｍｍ（好ましくは、１ｍｍ＜Ａ＜２ｍｍ）とすると共に、面材の厚みＴについては、３ｍｍ＜Ｔ＜１０ｍｍ（好ましくは、４ｍｍ＜Ｔ＜６ｍｍ）とする。
本発明にあっては、短手方向の幅寸法について流体通過溝より開口部の方が狭いので、施工面外側から開口部を介して流体通過溝が見え難くなる。
【０００６】
溝を処理できるようにして施工面構造の有効活用が図れるようにするために請求項２記載の本発明が採用した手段は、前記流体通過溝へ流体を供給するための流体供給路を設けた請求項１記載の施工面構造である。
本発明にあっては、流体供給路から流体通過溝へ供給する流体で、流体通過溝の内面に処理を施すことができる。更に、前記開口部を介して施工面外側へ該流体を移動させることで、開口部を形成する面、面材の表面、及び／又は、施工面外側に対して処理を施すことができる。流体供給路から流体通過溝へ供給する流体として、洗浄液や洗浄用泡等を用いるときには、流体通過溝の内面を洗浄して清潔にすることができる。
【０００７】
流体通過溝を流体排出に用いることができるようにするために請求項３記載の本発明が採用した手段は、前記流体通過溝から流体を排出するための流体排出路を設けた請求項１又は２記載の施工面構造である。
本発明にあっては、施工面外側で生じて開口部を介して流体通過溝へ浸入した流体を、施工面へほとんど溢れさせることなく流体通過溝で案内して流体排出路へ導いて効率よく排出できる。
【０００８】
流体通過溝における流体の流れを円滑にするために請求項４記載の本発明が採用した手段は、前記流体通過溝が主溝と副溝からなり、主溝は一方の方向へ筋状に延びると共に前記流体供給路及び／又は前記流体排出路に通じ、副溝は他方の方向へ延びて主溝へ通じる請求項２又は３記載の施工面構造である。
本発明にあっては、広範囲に主溝及び副溝を分布させて、副溝と主溝の間で流体を移動させることができる。
【発明の効果】
【０００９】
請求項１記載の本発明の施工面構造は、施工面外側から開口部を介して流体通過溝が見え難くなるので、見栄えよくできる。
【００１０】
請求項２記載の本発明の施工面構造は、流体供給路から流体通過溝へ供給する流体の種類を選択することで、開口部，施工表面及び／又は施工面外側に対して各種の処理を施すことができるようになり、利用範囲の拡大が図れる。
【００１１】
請求項３記載の本発明の施工面構造は、開口部を介して流体通過溝へ浸入した流体である液体や流体を流体排出路へ導いて排出できるので、更に、利用範囲の拡大が図れる。
【００１２】
請求項４記載の本発明の施工面構造は、広範囲に主溝及び副溝を分布させて、副溝と主溝の間で流体を移動させることができるので、溝における流体の流れが円滑となる。
【発明を実施するための最良の形態】
【００１３】
本発明に係る施工面構造（以下、「本発明構造」と言う。）を図面に示す実施形態に基づいて説明する。
【００１４】
（第１の実施の形態）
図１乃至図６は本発明の第１の実施の形態を示すものであり、図１は本発明構造からなる床面構造及び壁面構造を用いた部屋を示すものであり，（Ａ）は正面図、（Ｂ）は（Ａ）の１−Ｂ，１−Ｂ線で断面して拡大した平面図、（Ｃ）は（Ａ）の１−Ｃ，１−Ｃ線で断面して拡大した側面図である。図２は本発明構造からなる床面構造を示すものであり、（Ａ）は一部破断した平面図、（Ｂ）は（Ａ）の２−Ｂ，２−Ｂ線で断面した正面図、（Ｃ）は（Ａ）の２−Ｃ，２−Ｃ線で断面した正面図、（Ｄ）は（Ａ）の２−Ｄ，２−Ｄ線で断面した正面図、（Ｅ）は排水部の蓋を示す平面図である。図３（Ａ）は図２（Ａ）の３−Ａ，３−Ａ線で断面して拡大した右側面図、図３（Ｂ）は図２（Ａ）の３−Ｂ，３−Ｂ線で断面して拡大した右側面図である。図４は部屋を中間省略して示す拡大正面図であって排水状態を示すものである。図５は部屋を中間省略して示す拡大正面図であって洗浄状態を示すものである。図６は部屋を中間省略して示す拡大正面図であって換気状態を示すものである。
【００１５】
部屋１は、図１に示す如く、本発明構造からなる床面構造２と、本発明構造からなる一つ又は複数の壁面構造３とを備えている。本例の部屋１は、浴室の洗い場に適用されたものであり、同図の手前側又は奥側に浴槽が配置される。部屋１は，浴室の洗い場以外に、洗面室、便所、台所、リビング、寝室等に適用することもできる。
【００１６】
前記床面構造２は、図１及び図２に示す如く、室内面である床面２ａを形成する面材である床材４の裏面側に空間部５を設け、空間部５へ通じる開口部６を床面２ａに開口したものであり、空間部５へ流体を供給するための流体供給路７を設けてある。床材４は、防水パンからなる下地部８に敷設され、陶磁器タイル，石材，樹脂製又は金属製の化粧板等の板材が選択される。床材４は、後述する下地部８の主溝５ａ及び副溝５ｂで囲まれた床材敷設部８ａ（図３（Ａ）参照）に接着又は着脱自在に接合される。下地部８は、ＦＲＰ（繊維強化プラスチック）又はステンレス鋼板等から成形され、後述する溝からなる空間部５が設けられている。開口部６は、隣接する床材４，４の間に形成した隙間からなり、空間部５である溝は、この隙間の裏側に位置している。このように、床材間の隙間（開口部６）と溝（空間部５）の各位置が合致するため、隙間（開口部６）を介して室内Ｒと溝（空間部５）との間で生じる流体移動が円滑に行われると共に、室内Ｒ側から隙間を介して溝が見え難く見栄えよくできる。
【００１７】
前記空間部５となる溝は、隣接する床材４，４の間の隙間（開口部６）の裏側に位置する主溝５ａと副溝５ｂからなり、主溝５ａが一方の方向（図２（Ａ）中の左右方向）へ筋状に延び、副溝５ｂが他方の方向（同図中の前後方向）へ延びて主溝５ａへ通じるようになっている。開口部６を形成する床材４，４の対峙する側面は、各溝５ａ，５ｂの幅（Ｂａ，Ｂｂ）（図２（Ｃ），図３（Ａ）参照）の内側に位置するようにしてある。室内Ｒ側から溝５ａ，５ｂを更に見え難くするために、隙間（開口部６）の短手方向に沿う幅寸法Ａを溝５ａ，５ｂの短手方向に沿う各幅寸法Ｂａ，Ｂｂ（図２（Ｃ）及び図３（Ａ）参照）より小さくしてある。隙間（開口部３６）の短手方向に沿う幅寸法Ａについては、０．５ｍｍ＜Ａ＜３．０ｍｍ（好ましくは、１ｍｍ＜Ａ＜２ｍｍ）とすると共に、床材４の厚みＴについては、３ｍｍ＜Ｔ＜１０ｍｍ（好ましくは、４ｍｍ＜Ｔ＜６ｍｍ）とすることにより、室内Ｒ側から隙間（開口部６）を介して溝５ａ，５ｂを認識することが、より困難となるようにしてある。前記空間部５の主溝５ａ及び副溝５ｂは、図示は省略したが、架台に載設したセンメント板や樹脂板等からなる下地板に凹設して形成することも可能である。
【００１８】
前記下地部８は、図２及び図３に示す如く、その側縁の各々や適所に、外側の壁パネル載置部８ｂと内側の集合用溝８ｃを並設してある。集合用溝８ｃは、主溝５ａ及び前後側の副溝５ｂが繋がって流体が行き来できるようになつている。前記下地部８は、側縁寄り等の適所に、集水用凹部８ｄが設けられ、集合用溝８ｃから集水用凹部８ｄへ流体が流れ込むようになっていると共に、集合用溝８ｃに一部の主溝５ａ及び副溝５ｂが繋がっている。集水用凹部８ｄは、底部に排水トラップ１２を配設して、流体排出路１１へ接合してある。集水用凹部８ｄは、着脱自在な蓋３０で覆われる。蓋３０は、基盤３０ａに床材４，４，…を固定したものであり、床材４，４の間に隙間を形成し、各隙間が集水用凹部８ｄへ通じるようにしてある。
【００１９】
前記流体供給路７は、複数本の主溝５ａの上流側が繋がる集合用溝８ｃ（図２の場合には左側）に開口７ａすると共に、流体供給制御装置３３に備えた切換機構９を介して流体供給路群１０に繋がっている。切換機構９は、開閉弁９ａ，９ｂ，９ｃ，…や三方弁（図示略）等からなり、流体供給路７と連通させる各種の流体供給路１０ａ，１０ｂ，１０ｃ，…を切り換えることで、空間部５の各主溝５ａへ供給する流体の種類を選択できるようになっている。
【００２０】
前記流体供給路７から供給する流体としては、液体、泡状体又は気体がある。液体としては、空間部５の内面を洗浄するための洗浄液や熱湯、又は空間部５の内面に付着した洗浄液を洗い流すための水等があり、泡状体としては、洗浄用液体を泡立てたもの等がある。更に、気体としては、暖房するための温風、冷房するための冷風、換気のための換気用空気、リラックスさせるためのマイナスイオンや香りを含むリラックス用空気又は除菌作用のあるプラスイオンを含む除菌用空気等がある。これら流体は、部屋１を適用する部屋の種類（例えば、浴室の洗い場、洗面室等）によって、適宜選択されて組み合わせられる。なお、洗浄用液体を泡立てた泡状体を用いる場合に、その供給量として、空間部５の内部を充満させると共に前記開口部６から溢れ出る量とすることで、空間部５の内面と開口部６の側面も併せて洗浄することができる。温風と冷風を発生させる装置としては、図示は省略したが、送風機及び加熱器（例えば、温水ヒータや電気ヒータ等）の組合せからなり、加熱器の入り切りで温風と冷風の選択ができるものや、送風機及び加熱器に更に冷却器を組みあわせて、冷却器で積極的に低温に冷却させるものがある。
【００２１】
前記切換機構９は、洗浄，暖房，冷房，換気，リラックス，除菌等の各モードを選択する選択スイッチのＯＮ操作で選択した流体を適宜時間だけ流体供給路７へ供給する制御器１３を備えている。なお、前記流体供給路７は、切換機構９に接続した箇所より下流側を分岐管からなる分岐路（図示略）で分岐し、各分岐路の終端を集合用溝８ｃの適所又は各主溝５ａに分散させて開口７ａさせることもある。更に、流体供給路７は、液体専用と気体専用に分けて設けることもある。また、流体供給路７を用いることなく、開閉弁９ａ（９ｂ，９ｃ）付きの各種の流体供給路１０ａ（１０ｂ，１０ｃ）の各々を独立させて、集合用溝８ｃの適所又は各主溝５ａに開口させることも可能である。
【００２２】
前記壁面構造３は、図１に示す如く、室内Ｒに面する壁面３ａを形成する面材である壁材１４の裏面側に空間部２５を設け、壁面３ａに開口する開口部１６で室内Ｒと空間部２５を連通させる共に、空間部２５に排気路２１を連通させるように開口２１ａしてある。壁面構造３は、空間部２５へ流体を供給するための流体供給路１７を設けることもある。空間部２５は、ＦＲＰ（繊維強化プラスチック）やステンレス鋼板から成形され下地部２８に溝として設けられている。壁材１４は、陶磁器タイル，石材，樹脂製又は金属製の化粧板等の板材が選択される。開口部１６は、隣接する壁材１４，１４の間に形成した隙間や、壁材１４に穿設した貫通孔（図示略）から形成されている。本例の壁面構造３は、壁パネルに組み立てられ、施工現場において、前記床面構造２を構成する下地部８の壁パネル載置部８ｂに載置して建て込むようになっている。
【００２３】
前記空間部２５は、一つの大きな空間又は複数に区画された小さな空間の集合から形成されている。小さな空間は、筋状の凹溝から形成されることもある。更に、筋状の凹溝の場合には、後述するように縦方向へ延びる凹溝と横方向へ延びる凹溝を直交又は斜め交差させるように設けることもある。本例の空間部２５は、上下の領域２５Ａ，２５Ｂに区画すると共に、境界部を狭い通路領域２５Ｃで連通させてある。この狭い通路領域路２５Ｃは、上方の領域部２５Ａから下方の領域２５Ｂへ洗浄液等の液体を低速で通過させることができるが、下方の領域２５Ｂから上方の領域２５Ａへ空気等の気体を高速で通過させることができないようになっている。
【００２４】
前記空間部２５の各領域２５Ａ，２５Ｂには、隣接する壁材１４，１４の間の隙間（開口部１６）の裏側に位置する主溝２５ａと副溝２５ｂが設けられ、主溝２５ａが縦方向へ筋状に延び、副溝２５ｂが横方向へ延びて主溝２５ａへ通じるようになっている。室内Ｒ側から溝２５ａ，２５ｂを更に見え難くするために、前記床面構造２と同様に、壁材１４，１４の間にの隙間（開口部１６）の短手方向に沿う幅寸法Ａを溝２５ａ，２５ｂの短手方向に沿う各幅寸法Ｂａ，Ｂｂより小さくしてある。開口部１６を形成する壁材１４，１４の対峙する側面は、各溝２５ａ，２５ｂの幅（Ｂａ，Ｂｂ）（図１（Ｂ）（Ｃ）参照）の内側に位置するようにしてある。隙間（開口部１６）の短手方向に沿う幅寸法Ａについては、０．５ｍｍ＜Ａ＜３．０ｍｍ（好ましくは、１ｍｍ＜Ａ＜２ｍｍ）とすると共に、壁材４の厚みＴについては、３ｍｍ＜Ｔ＜１０ｍｍ（好ましくは、４ｍｍ＜Ｔ＜６ｍｍ）とすることにより、室内Ｒ側から隙間（開口部１６）を介して溝２５ａ，２５ｂを認識することが、より困難となるようにしてある。
【００２５】
前記空間部２５は、その下方領域２５Ｂの下端側が、前記床面構造２を構成する下地部８の集水用凹部８ｃに通じるようになっており、床面構造２の空間部５を介して前記液体排出路１１へ洗浄液等を排出できるようにしてある。なお、空間部２５は、その下端側に専用の排出口（図示略）を設けて空間部５の連通を断ち、バイパス配管等を介して液体排出路１１に連通させることもある。
【００２６】
前記流体供給路１７は、空間部２５の領域２５Ａ，２５Ｂの両方、又は下方領域２５Ｂにのみ開口１７ａすると共に、前記流体供給制御装置３３の切換機構９を介して流体供給路群１０に繋がっている。流体供給路１７は、横方向に延びる分配路２９を介して各主溝２５ａに連通している。流体供給路１７から供給する流体としては、空間部２５の内面に発生した黴等を洗浄するための、洗浄液，熱湯又は洗浄用液体を泡立てたもの等が選択され、洗浄液を用いるときには洗浄液を洗い流すための水を併せて用いる。洗浄用液体を泡立てたものを用いる場合には、その供給量として、各領域２５Ａ，２５Ｂの主溝２５ａ及び副溝２５ｂの内部を充満させると共に前記開口部１６まで溢れ出る量とすることで、主溝２５ａ及び副溝２５ｂの内面と開口部１６の側面も併せて洗浄することができる。なお、流体供給路群１０及び切換機構９は、前記床面構造２の流体供給路７及び前記壁面構造３の流体供給路１７の各々へ供給できる本例の共用タイプ以外に、流体供給路７のみ供給できるものと、流体供給路１７へのみ供給できるものとからなる専用タイプとすることもある。
【００２７】
前記排気路２１は、上方領域２５Ａ（本例の場合には、各主溝２５ａ）の上端側に開口２１ａし、排気フアン２２に連通させてある。前記壁面構造３からなる壁パネルが複数あるときには、各壁面構造３の排気路２１と一台の排気フアン２２をダクト２４で接続する。
【００２８】
なお、前記壁面構造３は、空間部２５について、下方領域２５Ｂを省略して上方領域２５Ａのみとするか、または、上方領域２５Ａを省略して下方領域２５Ｂのみとすることも可能である。上方領域２５Ａ又は下方領域２５Ｂが設けられない領域は、隣接する壁材１４，１４の間に隙間を形成することなく目地材を充填することもある。
【００２９】
次に、部屋１の各動作状態を図面に示す各態様に基づいて説明する。
（排水状態）
図４に示す如く、室内Ｒで掛け湯やシャワーを浴びるときには、流体供給制御装置３３に設けた制御器１３の排水モードスイッチを操作すると、切換機構９の全てを閉弁して床面構造２の流体供給路７及び壁面構造３の流体供給路１７から流体を吐出させない状態にする。掛け湯やシャワー等で発生した排水は、床面２ａの開口部６，６，…を介して空間部５の主溝５ａ及び副溝５ｂへ流出し、主溝５ａ及び副溝５ｂを通過して液体排出路１１へ排出される。掛け湯やシャワー水が飛散して壁面３ａへ到達したときには、その一部が壁面３ａの開口部１６，１６，…を通過して空間部２５（図１（Ｂ）（Ｃ）参照）の主溝２５ａ及び副溝２５ｂへ浸入し、縦方向の主溝２５ａを流れ落ちて床面構造２の集合用溝８ｃを介して集水凹部８ｄへ導かれて排出される。床面構造２の開口部６を床面２ａの全体にわたって分散させることで、床面２ａに落ちた水は、近くの開口部６から主溝５ａ又は副溝５ｂへ迅速に排出される。そのため、床面２ａは、大きな排水勾配を設ける必要がなくなり、水平面又は水平面に近い状態にできる。なお、部屋１は、排水を必要としないリビングや寝室等に用いられるとき、排水モードは省略される。
【００３０】
（洗浄状態）
図５に示す如く、掛け湯やシャワー等で汚れた空間部５（主溝５ａ及び副溝５ｂ），２５（主溝２５ａ及び副溝２５ｂ）を清掃するときには、流体供給制御装置３３に設けた制御器１３の洗浄モードスイッチをＯＮにし、切換機構の所定の弁が開弁して所定の流体供給管１０から洗浄液が供給される。供給される洗浄液は、床面構造２の流体供給路７及び壁面構造３の流体供給路１７から空間部５，２５へ吐出し、空間部５，２５を通過する間にその内面を洗浄して液体排出路１１へ排出される。設定した時間だけ洗浄液を供給した後は、更に、設定した時間だけ水が供給されて、洗浄液を洗い流すようになっている。壁面構造３の流体供給路１７から吐出した洗浄液は、空間部２５（主溝２５ａ及び副溝２５ｂ）の内面を洗浄しながら流れ落ちて、床面構造２の集合用溝８ｃを介して集水凹部８ｄへ導かれて排出される。洗浄液を熱湯，殺菌剤又は泡状洗剤液に置換することもある。なお、部屋１は、排水を必要としないリビングや寝室等に用いられるとき、洗浄モードを省略することもあるが、空間部５，２５の内面に発生した黴等を除去するために洗浄モードを使用することもある。
【００３１】
（換気状態）
図６に示す如く室内Ｒを換気するときには、流体供給制御装置３３に設けた制御器１３の換気モードスイッチをＯＮにし、切換機構ｋ所定の弁が開弁して所定の流体供給管１０から換気用空気を供給すると共に、排気フアン２２を起動させる。供給される換気用空気は、設定した時間だけ床面構造２の流体供給路７から集合用溝８ｃを介して空間部５（主溝５ａ及び副溝５ｂ）へ供給され、床面２ａの開口部６，６，…を介して室内Ｒへ吹出し、室内Ｒを通過した後に床面構造２の開口部１６，１６，…へ吸い込まれ、空間部２５（主溝２５ａ及び副溝２５ｂ）及び排気路２１及びダクト２４を通過して排気フアン２２で室外へ排出される。床面構造２の吸い込みは、排気路２１が開口２１ａする上方領域２５Ａに連通する開口部１６，１６，…で多量に行われ、下方領域２５Ｂでは極少量しか行われない。下方領域２５Ｂで吸い込みが極少量となるのは、上下の空間部２５ａ，１５ｂの境界部に、通気抵抗の大きな狭い通路領域２５Ｃが形成されているためである。部屋１は、床面２ａの開口部６，６，…及び壁面３ａの開口部１６，１６，…を用いて換気するため、床面２ａや壁面３ａに大きな給気口や排気口を設ける必要がない。部屋１の動作は、制御器１３に組み込まれたプログラムに従って、前記洗浄モードの後に換気モードを自動的に実行させるようにすることもある。
【００３２】
（その他の状態）
前記換気用空気の代わりに、マイナスイオンや香りを含むリラックス用空気を設定した時間だけ床面構造２の流体供給路７から空間部５へ吐出し、床面２ａの開口部６，６，…を介して室内Ｒへ吹出すことも可能である。更に、換気用空気にプラスイオンを含ませる場合には、空間部５，２５、開口部６，１６及び室内Ｒを除菌しながら換気できる。更に、排気フアン２２で室外へ排出された空気の一部または全部を加熱又は冷却処理した後に、床面構造２の流体供給路７から空間部５へ供給させて循環させることで、省エネルギー化を図って屋内の温度調節を行うこともある。
【００３３】
（第２の実施の形態）
図７は本発明の第２の実施の形態を示すものであり、本発明施工面構造を採用した床面構造２を用いて構築した床部を示す正面断面図である。本例の床面構造２は、前記第１の実施の形態の床面構造２（図１〜図６参照）と実質的に同一であり、図１〜図６中の符号と同一の符号は同一の構成部材等を示すものである。本例の床面構造２は、屋内の床部や屋外の床部に用いられる。
【００３４】
（第３の実施の形態）
図８は本発明の第３の実施の形態を示すものであり、本発明施工面構造を採用した壁面構造３を用いて構築した壁部を示す正面断面図である。本例の壁面構造３は、前記第１の実施の形態の壁面構造３（図１〜図６参照）と実質的に同一であり、図１〜図６中の符号と同一の符号は同一の構成部材等を示すものである。本例の壁面構造３は、屋内の壁部や屋外の壁部に用いられる。空間部２５は、その下端側に、液体排出路１９を開口１９ａしてある。
【図面の簡単な説明】
【００３５】
【図１】第１の実施の形態に係る本発明構造からなる床面構造及び壁面構造を用いた部屋を示すものであり，（Ａ）は正面図、（Ｂ）は（Ａ）の１−Ｂ，１−Ｂ線で断面して拡大した平面図、（Ｃ）は（Ａ）の１−Ｃ，１−Ｃ線で断面して拡大した側面図である。
【図２】同実施の形態における本発明構造からなる床面構造を示すものであり、（Ａ）は一部破断した平面図、（Ｂ）は（Ａ）の２−Ｂ，２−Ｂ線で断面した正面図、（Ｃ）は（Ａ）の２−Ｃ，２−Ｃ線で断面した正面図、（Ｄ）は（Ａ）の２−Ｄ，２−Ｄ線で断面した正面図、（Ｅ）は排水部の蓋を示す平面図である。
【図３】（Ａ）は図２（Ａ）の３−Ａ，３−Ａ線で断面して拡大した右側面図、（Ｂ）は図２（Ａ）の３−Ｂ，３−Ｂ線で断面して拡大した右側面図である。
【図４】同実施の形態における部屋を中間省略して示す拡大正面図であって排水状態を示すものである。
【図５】同実施の形態における部屋を中間省略して示す拡大正面図であって洗浄状態を示すものである。
【図６】同実施の形態における部屋を中間省略して示す拡大正面図であって換気状態を示すものである。
【図７】本発明の第２の実施の形態を示すものであり、本発明施工面構造を採用した床面構造を用いて構築した床部を示す正面断面図である。
【図８】本発明の第３の実施の形態を示すものであり、本発明施工面構造を採用した壁面構造を用いて構築した壁部を示す正面断面図である。
【符号の説明】
【００３６】
１…部屋、２…床面構造、２ａ…床面、３…壁面構造、３ａ…壁面、５…空間部、５ａ…主溝、５ｂ…副溝、７…流体供給路、９…切換機構、１０…流体供給管群、１０ａ，１０ｂ，１０ｃ…流体供給路、１１…流体排出路、１７…流体供給路、１９…、２１…排気路、２２…排気フアン、２４…ダクト、２５…空間部、２５ａ…主溝、２５ｂ…副溝、Ａ…幅寸法、Ｂａ，Ｂｂ…幅寸法、Ｔ…厚み、Ｒ…室内
【図１】
2005336751.tif 000003
【図２】
2005336751.tif 000004
【図３】
2005336751.tif 000005
【図４】
2005336751.tif 000006
【図５】
2005336751.tif 000007
【図６】
2005336751.tif 000008
【図７】
2005336751.tif 000009
【図８】
2005336751.tif 000010